(57)【要約】【課題】  著作権保護されたコンテンツを編集した際に、編集データに対しても著作権保護機能を付加することが可能な記録媒体を提供する。【解決手段】  記録媒体１１００に、撮影画像データ１００１を記録する。記録媒体１１００には、撮影画像データを編集する際に利用する編集用コンテンツデータ１００２と、その著作権保護データ１００３が記録されている。編集用コンテンツ１００２を利用して撮影画像データ１００１を編集して得られる編集画像データ１００４にも、著作権保護データ１００３を付加する。【選択図】  図１
2005302112.tif 000002
【特許請求の範囲】
【請求項１】
第１のコンテンツと、
前記第１のコンテンツを利用して生成される第２のコンテンツと、
前記第２のコンテンツに対する複製、移動及び編集の制限情報
とが記録されることを特徴とする情報記録媒体。
【請求項２】
前記第１のコンテンツは複製、移動及び編集の操作が制限されたコンテンツであることを特徴とする請求項１に記載の情報記録媒体。
【請求項３】
前記第２のコンテンツは、前記第１のコンテンツと、複製、移動及び編集が制限されていない第３のコンテンツとが合成又は編集されることで生成されるコンテンツであることを特徴とする請求項１又は２に記載の情報記録媒体。
【請求項４】
前記第３のコンテンツを記録可能であることを特徴とする請求項１乃至３の何れか１項に記載の情報記録媒体。
【請求項５】
前記第１乃至第３のコンテンツは、画像データ、オーディオデータ及びテキストデータの何れかであることを特徴とする請求項１乃至４の何れか１項に記載の情報記録媒体。
【請求項６】
前記第１のコンテンツは、コンテンツの編集に用いる特殊効果用画像及び合成用画像の何れかであることを特徴とする請求項１乃至５の何れか１項に記載の情報記録媒体。
【請求項７】
前記第２のコンテンツに対する複製、移動及び編集の制限情報は、前記第１のコンテンツ毎又はコンテンツの種類毎に複数記録可能であることを特徴とする請求項１乃至６の何れか１項に記載の情報記録媒体。
【請求項８】
前記第２のコンテンツに対する複製、移動及び編集の制限情報は、前記第１のコンテンツ内に記録されることを特徴とする請求項１乃至６の何れか１項に記載の情報記録媒体。
【請求項９】
前記情報記録媒体がデータのランダムアクセスが可能な記録媒体であることを特徴とする請求項１乃至８の何れか１項に記載の情報記録媒体。
【請求項１０】
前記情報記録媒体は、光ディスク、磁気ディスク及び半導体メモリのいずれかであることを特徴とする請求項９に記載の情報記録媒体。
【請求項１１】
前記第１のコンテンツ、並びに第２のコンテンツに対する複製、移動及び編集を制限する情報を記録する第１の記録領域と、
前記第２のコンテンツ及び第３のコンテンツが記録される第２の記録領域
とに区分され、
前記第１の記録領域は読み込みのみ可能な領域であり、
前記第２の記録領域は読み込み及び書き込み可能な領域である
ことを特徴とする請求項３乃至１０の何れか１項に記載の情報記録媒体。
【請求項１２】
前記コンテンツの利用を制御する制御プログラムであって、情報記録再生装置において実行されることで第２のコンテンツを生成する制御プログラムが記録されることを特徴とする請求項１乃至１０の何れか１項に記載の情報記録媒体。
【請求項１３】
前記第１のコンテンツ、第２のコンテンツに対する複製、移動及び編集を制限する情報、並びに、前記制御プログラムを記録する第１の記録領域と、
前記第２のコンテンツ及び第３のコンテンツが記録される第２の記録領域
とに区分され、
前記第１の記録領域は読み込みのみ可能な領域であり、
前記第２の記録領域は読み込み及び書き込み可能な領域である
ことを特徴とする請求項１２に記載の情報記録媒体。
【請求項１４】
第１のコンテンツを加工することにより第２のコンテンツを生成する加工手段と、
前記第１のコンテンツに対する第１のコピー制限情報に従い、前記第２のコンテンツのコピー制限を示す第２の制限情報を生成する制限情報生成手段と、
前記第２のコンテンツと前記第２の制限情報とを記録媒体に記録する記録手段とを備えることを特徴とする情報処理装置。
【請求項１５】
前記生成手段は、前記第１のコンテンツと、コピーが制限されていない第３のコンテンツとを合成することで、前記第２のコンテンツを生成することを特徴とする請求項１４に記載の情報処理装置。
【請求項１６】
前記第１乃至第３のコンテンツは、画像データ、オーディオデータ及びテキストデータの何れかであることを特徴とする請求項１４又は１５に記載の情報処理装置。
【請求項１７】
前記第１のコンテンツは、画像の編集に用いる特殊効果用画像又は合成用画像であることを特徴とする請求項１４乃至１６の何れか１項に記載の情報処理装置。
【請求項１８】
前記第３のコンテンツは、付属する入力機器によって入力されるデータであることを特徴とする請求項１５乃至１７の何れか１項に記載の情報処理装置。
【請求項１９】
前期入力機器は、撮像装置、マイク、及びテキストデータを入力可能な文字入力機器のいずれか又はこれらの組み合わせからなることを特徴とする請求項１８に記載の情報処理装置。
【請求項２０】
前記第１のコンテンツと第３のコンテンツは前記記録媒体に記録されており、
前記記録媒体から前記第１のコンテンツと第３のコンテンツを再生する再生手段を備え、前記生成手段は、前記記録媒体から再生された前記第１のコンテンツ及び前記第３のコンテンツを用いて第２のコンテンツを生成する
ことを特徴とする請求項１５乃至１９の何れか１項に記載の情報処理装置。
【請求項２１】
複数の前記第１のコンテンツに対してそれぞれ前記第１の制限情報が付加されており、
前記制限情報生成手段は、前記第１のコンテンツ及びその利用方法に対応した前記第１の制御情報に基づいて前記第２の制限情報を生成する
ことを特徴とする請求項１４乃至２０の何れか１項に記載の情報処理装置。
【請求項２２】
前記記録媒体に記録された、前記コンテンツの利用を制御する制御プログラムを読み込み実行することで、前記第２のコンテンツを生成することを特徴とする請求項１４乃至２１の何れか１項に記載の情報処理装置。
【発明の詳細な説明】
【技術分野】
【０００１】
本発明は、著作権保護されたコンテンツ、例えば画像データを記録する情報記録媒体及び情報処理装置に関する。
【背景技術】
【０００２】
近年、デジタルビデオカメラ等の撮像装置で撮影された画像データ、及び、オーディオデータを光ディスクや半導体メモリなどの記録媒体にデジタルデータとして記録することが容易になっている。これらの記録媒体は、磁気テープ等のテープ媒体とは異なり、ランダムアクセスが可能であり、所望のデータを待ち時間なく再生することが可能となる。
【０００３】
特許文献１には、読み取り専用の記憶領域であるＲＯＭ領域と、書き換え可能な記憶領域であるＲＡＭ領域を備えた光ディスクが開示されている。この光ディスクのＲＯＭ領域には、ＲＯＭ領域に記録されたデータを更新してＲＡＭ領域に記録するプログラムが、記録されている。
【０００４】
予めコンテンツが記録されて販売されているような記録媒体では、その著作権を保護する機能が必要となる。特許文献２には、記録媒体に記録されたコンテンツの編集に対する許可／禁止情報をコンテンツと共に記録しておくことで、コンテンツが無制限に編集されることを防止する構成が記載されている。また、コンテンツの提供媒体の種類によって編集の許可／禁止を判断している。
【特許文献１】特開２０００−７６０７６公報
【特許文献２】特開２００１−１１７８２１公報
【発明の開示】
【発明が解決しようとする課題】
【０００５】
特許文献２に記載される記録媒体においては、記録媒体に記録されたコンテンツ自体の編集の許可／禁止を制御しているが、そのコンテンツに対する編集などを許可した場合、編集によって生成された新たなコンテンツの著作権を保護する方法は、用意されていない。
【０００６】
つまり、記録媒体に予め記録されて販売されているコンテンツには著作権保護機能が付加されているが、著作権保護されたコンテンツを編集した後の編集データに関しては、著作権を十分に保護できないという問題があった。
【０００７】
また、著作権保護されていないコンテンツと著作権保護されたコンテンツを組み合わせて編集した際に生成される編集コンテンツの著作権も、十分に保護されないという問題点があった。
【０００８】
このような場合、コンテンツを利用した編集などは許可したいが、コンテンツのみが無制限に複製され配布されることを禁止できるようにすることが求められる。
【０００９】
本発明は、このような従来の問題点に鑑み、著作権保護付きのコンテンツデータが記録された記録媒体において、著作権保護されたコンテンツを編集した際に、編集データに対しても著作権保護機能を付加することが可能な情報記録媒体及び情報処理装置を提供することを目的とする。
【課題を解決するための手段】
【００１０】
本発明に係る情報記録媒体は、第１のコンテンツと、前記第１のコンテンツを利用して生成される第２のコンテンツと、前記第２のコンテンツに対する複製、移動及び編集の制限情報とが記録されることを特徴とする。
【００１１】
本発明に係る情報処理装置は、第１のコンテンツを加工することにより第２のコンテンツを生成する加工手段と、前記第１のコンテンツに対する第１のコピー制限情報に従い、前記第２のコンテンツのコピー制限を示す第２の制限情報を生成する制限情報生成手段と、前記第２のコンテンツと前記第２の制限情報とを記録媒体に記録する記録手段とを備えることを特徴とする。
【発明の効果】
【００１２】
本発明によれば、著作権保護されたコンテンツを編集した際に、編集された編集コンテンツに対しても著作権管理情報を付加できる。即ち、２次利用されたコンテンツに対しても著作権を管理できる。また、編集用のコンテンツを予め記録した記録媒体を用いることで、編集時の特殊効果などの機能を拡張することが可能である。また、コンテンツ制御データをプログラムとして持つことで、編集時のユーザインタフェースなどを拡張することが可能となる。
【発明を実施するための最良の形態】
【００１３】
以下、図面を参照して、本発明の実施例を詳細に説明する。
【実施例１】
【００１４】
図１は、本発明の一実施例における基本的なデータの流れを示す図である。図２はシステム構成を示す図であり、図３は記録媒体に記録されるデータの内容を示す図である。
【００１５】
図１において、１０００は被写体を撮影し画像データを生成し記録する撮像装置、１１００は画像データを記録する光ディスク型の記録媒体、１００１は撮影された撮影画像データ、１００２は撮影画像データを編集する際に利用する編集用コンテンツデータ、１００３は著作権保護データ、１００４は編集用コンテンツ１００２を利用して撮影画像データ１００１を編集した編集画像データを示している。
【００１６】
また、図２において、２００１は被写体からの光束が入射される光学系、２００２は光を電気信号に変換するＣＣＤなどの撮像素子、２００３は撮像素子２００２からの画像信号を処理し画像の補正及び圧縮等の処理を施す映像信号処理回路、２００４はマイク、２００５はマイク２００４からの音声信号に対して補正及び圧縮等の処理を施す音声処理回路、２００６は画像データ及び音声データを出力するモニタ及びスピーカ等からなる出力装置、２００７は使用者からの操作を受け付ける操作インタフェース、２００８は撮像装置１０００の処理を制御するＣＰＵ、２００９はＲＯＭとＲＡＭから構成される内部メモリ、２０１０は記録媒体とのインタフェース、２１００は光ディスク型の記録媒体を表している。
【００１７】
図３は、記録媒体１１００（図１）及び記録媒体２１００(図２)に対応する記録媒体に記録されるデータを示す。
【００１８】
図３において、３１００は光ディスク型の記録媒体、３１０１は再生専用領域であるＲＯＭ領域、３１０２は記録、再生が可能なＲＡＭ領域、３０１１はＲＯＭ領域３１０１に記録されるデータ、３０１２はＲＡＭ領域３１０２に記録されるデータ、３００１は編集用コンテンツ、３００２は著作権保護データ、３００３は撮影画像データ、３００４は編集画像データを示している。
【００１９】
次に、処理の流れを詳細に説明する。
【００２０】
図３は、撮像装置で撮影された画像データを記録するための光ディスク状の記録媒体を示す。この光ディスクは、ディスク内周側に設けられたＲＯＭ領域３１０１と、外周側に設けられたＲＡＭ領域３１０２とから構成される。このＲＯＭ領域３１０１には予めデータが書き込まれており、このデータをユーザが上書き及び消去することはできない。ＲＡＭ領域３１０２には、ユーザが撮影したデータなどを自由に記録、上書き、消去することが可能である。ＲＯＭ領域３０１１には画像編集用のコンテンツ３００１及び著作権保護データ３００２が予め記録されている。
【００２１】
画像編集用のコンテンツ３００１は、例えば、図４（ａ）に示すような、ワイプ処理の画像のように編集で画像と画像を繋ぐ時の特殊効果、図４（ｂ）に示すような、撮影画像と合成して撮影するフレーム画、及び、図４（ｃ）に示すような、画像と合成するアニメーションなど、画像を編集する際に利用するコンテンツを指す。
【００２２】
編集用コンテンツ３００１は、コンテンツ供給元の著作権を保護するため、複製、移動及び編集の何れか又は全部を禁止する処理が施されている。この著作権保護のための処理は、暗号化及び電子透かしなど、既存の技術を用いたものでよい。
【００２３】
著作権保護データ３００２は、画像編集用のコンテンツ３００１を利用して生成される編集コンテンツの著作権を保護するためのデータである。
【００２４】
次に、記録媒体に記録されたコンテンツを利用する流れを説明する。図１における撮影画像データ１００１は、図２の光学系２００１、撮像素子２００２及び映像処理回路２００３を経て生成される。この撮影画像は、インタフェース２０１０を介して記録媒体２１００のＲＡＭ領域（図３の３００３）に記録される。また、マイク２００４及び音声処理回路２００５を経て音声データが生成され、撮影画像データ１００１と共に記録媒体に記録される。
【００２５】
次に、上記のように記録した撮影画像データ１００１を撮像装置で編集する場合の動作を説明する。ユーザの操作インタフェース２００７の操作によって、記録画像の編集モードが呼ばれると、ＣＰＵ２００８は、記録媒体２１００に編集用のコンテンツが記録されているか否かをチェックする。このチェック処理のために記録媒体２１００の所定位置に図示しないチェックデータが記録されており、それを読み込むことで判断が可能である。又は、記録媒体自体に物理的に判断可能なマークがついており、そのマークをチェックすることでも判断可能である。
【００２６】
記録媒体２１００に編集用コンテンツ１００２が入っていない場合、内部メモリ２００９に予め格納されている編集用のコンテンツを読み込み、編集用コンテンツ選択画面に表示する。図５は、編集用のコンテンツ選択画面を示す。図５（ａ）で、５０００は撮像装置の出力装置２００６である液晶モニタに表示された画面全体を示し、５００１は、撮影された画像データ１００１の一つを示す。５００２は、読み込んだ編集用のコンテンツを示す。図５（ａ）の例では、撮像装置の内部メモリに予め記録された編集用コンテンツ（Ａ、Ｂ、Ｃ、Ｄ）を読み込み、５００２のように表示している。
【００２７】
ユーザによって編集する撮影画像５００１と撮影画像に対する編集用コンテンツ５００２が選択されると、ＣＰＵの処理により編集作業を行い、編集画像データ１００４を生成する。そして、記録媒体２１００のＲＡＭ領域（図３の３００４）に編集画像データ１００４を記録する。このように、記録媒体に編集用のコンテンツ１００２が入っていない場合は、従来の編集機能つき撮像記録再生装置での編集及び記録と同様である。
【００２８】
一方、記録媒体２１００に編集用コンテンツ１００２が入っている場合、その編集用コンテンツ１００２を内部メモリ２００９に読み込む。読み込まれたコンテンツは、図５（ｂ）に示すように、内部メモリの編集コンテンツ（Ａ，Ｂ，Ｃ，Ｄ）及び記録媒体からの編集用コンテンツ１００２（α、β、γ）と共に表示される。又は、内部メモリの編集コンテンツを上書きする形で記録媒体の編集用コンテンツを表示してもよい。
【００２９】
撮像装置の内部メモリ２００９に予め編集用コンテンツが入っていないときは、編集コンテンツ入りのディスク２１００を入れた場合のみ、図示しない編集メニューが選択できるようになっている。
【００３０】
ユーザによって、撮影画像データ１００１と記録媒体からロードした編集用コンテンツ１００２（α、β、γ）が編集素材として選択されると、ＣＰＵ２００８の処理によって編集用コンテンツ１００２の種類に応じた所定の処理が撮影画像データ１００１に加えられ、編集データ１００４が生成される。次に、編集対象となる撮影データ１００１、編集コンテンツ１００２及びその編集方法などに対応した適切な著作権保護データ１００３を記録媒体１１００から読み込む。
【００３１】
取得した著作権保護データ１００３を、編集後の編集データ１００４に対して所定の形式で付加する。著作権保護データ１００３を編集データ１００４に付加することにより、編集データ１００４に対する複製及び移動の禁止又は回数制限を行うことが可能である。この保護データ１００３の内容は、例えば「自由に複製可能」、「複製禁止」、「１回だけ複製可能」などの情報である。
【００３２】
編集後のデータ１００４に著作権保護の情報１００３を付加する理由は、編集用コンテンツのみが抜き出されて自由に複製されることを防ぐためである。編集用コンテンツ１００２の種類によっては、編集後のデータ１００４から容易にコンテンツ部分だけを取り出せるものもある。例えば、撮影画像と撮影画像の間に単純に挿入される画像コンテンツ、及び、画像データと合成する効果音などの音声コンテンツが考えられる。コンテンツを含む編集データが容易にかつ無制限に複製されることを著作権者が防ぎたい場合は、複製の禁止、複製の回数制限又は世代管理などの著作権保護データを予めコンテンツ提供者がコンテンツと共に記録媒体に記録しておくことで、著作権のあるコンテンツが編集などの２次利用された場合であっても、そのコンテンツの著作権を保護することが可能となる。また、図５に示した例で、編集の際のワイプ及び合成のためのフレームなどのコンテンツは、編集後のデータからコンテンツのみを抜き出して再利用することは容易ではないと考えられるので、複製許可の情報を付加させるなどコンテンツ毎に設定しておくことが可能である。
【００３３】
以上のようにして著作権保護データ１００３が付加された編集データ１０００４は、記録媒体２１００のＲＡＭ領域に記録される。
【００３４】
上記例では、編集コンテンツ１００２とその制御データ１００３を分けて記録していたが、制御データ１００３又は著作権管理情報１００５が、編集用コンテンツ１００２のメタデータとして含まれている形式であってもよい。
【００３５】
編集後に編集データ１００４に対して著作権保護データ１００３を付加したが、編集データ生成時に付加してもよい。
【００３６】
上記例では、一度撮影したデータを記録媒体１１００から読み込んでから編集を行っていた。一方、編集用のコンテンツ１００２が図５（ｂ）に示すような撮影画像に対して合成するコンテンツである場合、撮影画像１００１の撮影時に合成処理を行い、合成結果の画像に対して著作権保護データ１００５を付加し、記録媒体１１００に記録するようにしてもよい。このとき、合成画像のみを記録媒体１１００に保存するのではなく、合成されていない撮影画像１００１も、記録媒体に保存してもよい。
【００３７】
次に、編集データ１００４を複製する場合の動作を説明する。撮影記録装置が編集画像１００４を読み込むと、まず編集画像に前述の処理により埋め込まれた著作権保護データ１００３を読み込む。このとき著作権保護データ１００３が含まれていないデータは、無効なデータとしてデータの読み込みを止め、不正なデータであることを警告する表示を出力装置２００６に出力する。
【００３８】
データが著作権保護データ１００３を含む場合、ユーザの操作によってダビングの命令を受けると、著作権保護データ１００３を解析し、複製可能かどうかをチェックする。複製可能なデータであれば、複製の処理を行う。複製禁止のデータであれば、複製禁止の警告を出力装置２００６に出力する。
【００３９】
データの移動及び複製回数制限などに関しても、同様の処理で制御することが可能である。これら著作権保護されたデータに対する処理は、著作権保護データに従った処理が行われれば、どのような方法を用いてもかまわない。また、外部の機器と接続して複製などの処理を行う場合も同様である。
【００４０】
その他に、編集画像１００４に付加する著作権保護データ１００３を編集データ１００４の作成者が変更する仕組みを導入しても良い。この場合は、無制限に著作権保護データ１００３を変更できるのではなく、編集を行った機器限定で変更可能にする。
【００４１】
この仕組みを実現する構成を図６に示す。図６において、６００１、６００２は上記例で説明した撮像装置、６００３、６００４は撮像装置のＩＤ、６００５、６００６は編集画像データ、６００７、６００８は編集画像データ６００５，６００６に記録されるデータ、６１００は記録媒体を示す。
【００４２】
撮像装置６００１で図示しない撮影画像に対して編集コンテンツを利用した編集が行われると、前述の方法によって著作権保護データが編集画像データ６００５に付加される。撮像装置の機器ＩＤ６００３も、同様に編集画像データ６００５に記録される。この編集画像データ６００５は、記録媒体６１００の所定領域に記録される。ユーザが編集画像データの著作権保護データを変更したい場合、編集画像データ６００５を読み込み、画像データに付加されている機器ＩＤとデータを読み込んだ機器６００２の機器ＩＤ６００４を比較し、同じである場合のみ、著作権保護データの変更を認めるようにする。
【００４３】
機器ＩＤ以外に、編集した編集者を個人認証したＩＤを用いて、編集者以外では著作権保護データを変更できなくする方法であってもよい。
【００４４】
上記実施例では、ＲＯＭ領域とＲＡＭ領域を分けて説明したが、記録媒体はすべてＲＡＭ領域から構成されていてもかまわない。また、コンテンツ領域と撮影画像を記録する領域を分離しない構成であってもよい。さらには、編集用のコンテンツが予め記録されている必要はなく、コンテンツとそれに対応した制御データ（又はコンテンツ自体に制御データが記述されたもの）をダウンロードする形式であってもかまわない。
【００４５】
以上の説明では、撮像装置とその記録用ディスクを例にとり説明したが、この他にも例えば、オリジナルの楽曲データと歌詞のないカラオケ用の楽曲データがコンテンツとして入っており、利用者がカラオケの音楽に合わせて歌ったデータが記録媒体のＲＡＭ領域に記録されるような実施形態であってもよい。この場合、カラオケ用の楽曲は著作権保護されているが、利用者が歌ったデータを複製したい場合もあると考えられる。そこで、カラオケ用の楽曲を編集したデータ（利用者の歌を多重化したデータ）には複製と移動を禁止しないようにする制御情報を楽曲データとともに予め記録しておく。
【００４６】
一方で、楽曲データと、利用者が撮影した画像データと、前述のオリジナルの楽曲データを編集して、音声のある画像コンテンツを作成し、ＲＡＭ領域に記録する場合もある。この場合、編集後のコンテンツデータから音声データと画像データを容易に分離できる。そこで、編集後のデータにも、複製と移動を禁止する情報を生成する制御情報を記録媒体に記録しておく。又は、編集後のデータから元のデータを容易に復元できなくする処理を施して記録媒体に記録するような制御情報を予めディスクに記録しておく。
【００４７】
以上説明したように、記録媒体に記録された著作権のある編集用コンテンツを利用して、編集後のコンテンツを作る際に、編集用コンテンツと共に記録媒体に記録された制御情報に基づいた著作権保護データを編集後のコンテンツに対して付加することで、コンテンツ提供者の意図に応じたコンテンツの著作権保護が可能となる。
【実施例２】
【００４８】
第２実施例では、記録媒体に制御プログラムが記録してある。図７及び図８を参照して、第２の実施例を詳細に説明する。
【００４９】
図７において、７１００は光ディスクメディア、７１０１は再生専用領域であるＲＯＭ領域、７１０２は記録再生が可能なＲＡＭ領域、７０１１はＲＯＭ領域７１０１に記録されるデータ、７０１２はＲＡＭ領域７１０２に記録されるデータ、７００１は編集用コンテンツ、７００２は著作権保護データ、７００３は撮影画像データ、７００４は編集画像データ、７００５は制御プログラムを示す。
【００５０】
図８において、８０００は被写体を撮影し画像データを生成する撮像装置、８１００は画像データを記録する光ディスク、８００１は撮影された画像データ、８００２は撮影データを編集する際に利用する編集用コンテンツデータ、８００３は著作権保護データ、８００４は編集用コンテンツ８００２を利用して撮影画像データ８００１を編集した編集画像データ、８００５はコンテンツの制御を行うプログラムを示す。
【００５１】
図７及び図８に示す光ディスク７１００，８１００は、図３に示したものと同じ構成となっている。ただし、図３における制御データ３００１が、図７ではコンテンツ制御プログラム７００１に対応する。
【００５２】
また、記録媒体に対して記録再生する撮像装置は、図２に示す構成と同じ構成を具備する。
【００５３】
記録媒体に記録された編集用コンテンツを利用した編集の処理を具体的に説明する。
【００５４】
図８において、撮影画像データ８００１が生成され、記録媒体８１００に記録される流れは実施例１と同じである。
【００５５】
次に、記録した撮影画像データを撮像装置で編集する場合の動作を説明する。ユーザの操作インタフェース２００７の操作によって、記録画像の編集モードが呼ばれると、ＣＰＵ２００８の処理によって、記録媒体２１００が編集用のコンテンツが記録されている記録媒体であるかが実施例１と同様の方法でチェックされる。
【００５６】
編集用のコンテンツが記録されていない場合、実施例１と同様に、撮像装置に予め記録されている編集コンテンツを表示し、編集することが可能である。
【００５７】
編集用のコンテンツが記録されている場合、コンテンツ制御プログラム８００５を内部メモリ２００９にロードする。ＣＰＵ２００８によってこのプログラム８００５が実行されると、編集アプリケーションが起動する。この編集アプリケーションを利用することで、ユーザは、コンテンツ供給者が独自に提供する環境で編集を行うことが可能となる。この編集アプリケーションは、撮像装置が予め備えている編集機能又はアプリケーションを拡張するものであってもよいし、全く異なる編集を可能にするものであってもかまわない。
【００５８】
上記編集アプリケーションにおいて、ユーザによって編集操作が行われると、コンテンツ制御プログラム８００５は、画像の編集処理を行い、編集データ８００４を生成する。次に、コンテンツ制御プログラム８００３は、ユーザによって選択された編集コンテンツの種類に応じた編集データの著作権保護データ８００３（図７の７００２）を記録媒体８１００から読み込む。そして、読み込んだ著作権保護データ８００３を編集データ８００４に付加し、記録媒体に記録する。編集データ８００４に付加する著作権保護データ８００３の内容は、実施例１と同様のものでかまわない。また、編集データ８００４の作成時に著作権保護データ８００３を付加する処理を行ってもかまわない。
【００５９】
上記の編集アプリケーションは、複数の撮影データを自動で読み込み、撮影データと撮影データの間にコンテンツ画像データを挿入していき、１つの編集画像データを自動生成するものであってもよい。また、所定の規則に基づき自動で撮影画像を編集し、編集結果を出力するようなアプリケーションであってもよい。
【００６０】
以上のように、制御プログラム８００５を編集用コンテンツ８００２と共に記録媒体８１００に記録しておき、編集用コンテンツ８００２と共に読み込むことにより、編集時のインタフェースなどをコンテンツに応じて変化させることができ、より柔軟な編集環境をユーザに提供することが可能となる。
【図面の簡単な説明】
【００６１】
【図１】本発明の第１の実施例におけるデータの流れを示す図である。
【図２】第１実施例のシステム構成例を示す図である。
【図３】第１実施例における記録媒体中のデータ構成を示す図である。
【図４】第１実施例における編集用コンテンツを示す図である。
【図５】第１実施例における編集時の画面構成を示す図である。
【図６】第１実施例における画像複製時のデータ構成を示す図である。
【図７】本発明の第２実施例における記録媒体中のデータ構成を示す図である。
【図８】本発明の第２の実施例におけるデータの流れを示す図である。
【符号の説明】
【００６２】
１０００：撮像装置
１００１：撮影画像データ
１００２：編集用コンテンツデータ
１００３：著作権保護データ
１００４：編集画像データ
１１００：記録媒体
２００１：光学系
２００２：撮像素子
２００３：映像信号処理回路
２００４：マイク
２００５：音声処理回路
２００６：出力装置
２００７：操作インタフェース
２００８：ＣＰＵ
２００９：内部メモリ
２０１０：インタフェース
２１００：記録媒体
３００１：編集用コンテンツ
３００２：著作権保護データ
３００３：撮影画像データ
３００４：編集画像データ
３０１１：ＲＯＭ領域３１０１に記録されるデータ
３０１２：ＲＡＭ領域３１０２に記録されるデータ
３１００：記録媒体
３１０１：ＲＯＭ領域
３１０２：ＲＡＭ領域
５０００：画面全体
５００１：撮影画像
５００２：編集用のコンテンツ
６００１，６００２：撮像装置
６００３，６００４：撮像装置ＩＤ
６００５，６００６：編集画像データ
６００７，６００８：編集画像データ６００５，６００６に記録されるデータ
６１００：記録媒体
７００１：編集用コンテンツ
７００２：著作権保護データ
７００３：撮影画像データ
７００４：編集画像データ
７００５：制御プログラム
７０１１：ＲＯＭ領域７１０１に記録されるデータ
７０１２：ＲＡＭ領域７１０２に記録されるデータ
７１００：光ディスクメディア
７１０１：ＲＯＭ領域
７１０２：記録再生が可能なＲＡＭ領域
８０００：撮像装置
８００１：画像データ
８００２：編集用コンテンツデータ
８００３：著作権保護データ
８００４：編集画像データ
８００５：制御プログラム
８１００：光ディスク
【図１】
2005302112.tif 000003
【図２】
2005302112.tif 000004
【図３】
2005302112.tif 000005
【図４】
2005302112.tif 000006
【図５】
2005302112.tif 000007
【図６】
2005302112.tif 000008
【図７】
2005302112.tif 000009
【図８】
2005302112.tif 000010